(57)【要約】      （修正有）【課題】有害物質吸収性が高く、かつカビが発生し難い素材を提供する。【解決手段】束状素材を構成するい草素材には柿渋が付着されている。束状素材は略円柱状をなしている。束状素材の上端面及び下端面は、複数本のい草素材の切断面ＣＳにより形成されている。また、纏められた複数本のい草素材は、その周囲に巻かれた１または複数個の輪ゴムにより束状体にその形状が維持されている。束状素材は、上端面が居室側に向くように、枠体１０および板体１２により囲まれる空間内に収容された状体で居室の壁に設置する。【選択図】図１
2014009531.tif 000002
【特許請求の範囲】
【請求項１】
い草と、
前記い草の表面もしくは内部に付着された柿渋と
を備えるい草素材。
【請求項２】
請求項１に記載のい草素材を複数備え、
前記複数のい草素材は同じ丈に裁断され、前記複数のい草素材の裁断面が揃うようにして束状に纏められている
束状素材。
【請求項３】
前記複数のい草素材は、リボン状体となるように丈方向と直交する方向に並べられた状態で隣接するい草素材との間が連結されており、
前記リボン状体が渦巻状に巻かれた状態で束状に纏められている
請求項２に記載の束状素材。
【請求項４】
請求項１に記載のい草素材を複数、束状に纏めた小径の束状素材を複数と、
前記複数の小径の束状素材を束状に纏めた状態で、前記の複数の小径の束状素材の隙間に配置された請求項１に記載のい草素材を複数と
を備える請求項２に記載の束状素材。
【請求項５】
枠体と、
前記枠体の一方の開口面を塞ぐように配置された板体と、
前記枠体と前記板体とにより囲まれた空間内に配置された請求項２乃至４のいずれか１項に記載の束状素材を１以上と
を備える板状素材。
【請求項６】
板体と、
前記板体上に配置された請求項２乃至４のいずれか１項に記載の束状素材を１以上と
を備える板状素材。
【発明の詳細な説明】
【技術分野】
【０００１】
この発明は、い草を用いた素材に関する。
【背景技術】
【０００２】
い草は、単子葉植物イグサ科植物の総称である。い草は表面の皮質部とその内側の灯心部の２重構造となっている。い草の表面における細かい筋と凹凸は吸湿性が高いため、い草を材料とする敷物は室内における湿度を低く保つ機能を有する。い草に関する技術を開示した文献として、例えば特許文献１がある。同文献に開示された畳表上敷は、天然または模造のい草をロール状に巻回可能に織ったものを畳表とし、この畳表のい草と直行する左右の縁に伸縮性を有する素材を用いる構成を備えている。この畳表上敷は、縁が伸縮性を有しているため、畳表に皺をつけることなくロール状に巻いて保管しておくことができる。
【先行技術文献】
【特許文献】
【０００３】
【特許文献１】特開２００１−３２３６４１号公報
【発明の概要】
【発明が解決しようとする課題】
【０００４】
い草は、上述した高い吸湿性に加え、ホルムアルデヒドや二酸化窒素等の人体に有害な揮発性化学物質の多くを吸収する性能を有している。従って、い草素材を居室に配置することで、それらの有害な揮発性化学物質の空中濃度を低下させることができる。しかしながら、い草は吸湿性が高いため、適切なケアをしないとカビが生えやすいという問題がある。
【０００５】
本発明は、このような課題に鑑みてなされたものであり、有害物質吸収性が高く、かつカビが発生し難い素材を提供することを目的とする。
【課題を解決するための手段】
【０００６】
上記課題を解決するため、本発明は、い草と、前記い草の表面もしくは内部に付着された柿渋とを備えるい草素材柿渋を提供する。
【０００７】
また、本発明は、上記のい草素材を複数備え、前記複数のい草素材は同じ丈に裁断され、前記複数のい草素材の裁断面が揃うようにして束状に纏められている束状素材を提供する。
【０００８】
また、上記の束状素材において、前記複数のい草素材は、リボン状体となるように丈方向と直交する方向に並べられた状態で隣接するい草素材との間が連結されており、前記リボン状体が渦巻状に巻かれた状態で束状に纏められている、という構成が採用されてもよい。
【０００９】
また、上記の束状素材において、上記のい草素材を複数、束状に纏めた小径の束状素材を複数と、前記複数の小径の束状素材を束状に纏めた状態で、前記の複数の小径の束状素材の隙間に配置された上記のい草素材を複数とを備える、という構成が採用されてもよい。
【００１０】
また、本発明は、枠体と、前記枠体の一方の開口面を塞ぐように配置された板体と、前記枠体と前記板体とにより囲まれた空間内に配置された上記の束状素材を複数とを備える板状素材を提供する。
【００１１】
また、本発明は、板体と、前記枠体上に配置された上記の束状素材を複数とを備える板状素材を提供する。
【発明の効果】
【００１２】
本発明にかかるい草素材、束状素材もしくは板状素材は、いずれもい草と、当該い草の表面もしくは内部に付着された柿渋とを備えるため、い草による高い吸湿性および有害物質吸収性と、柿渋による防カビ性とを兼ね備える。その際、柿渋の添加により、通常のい草よりも高い有害物質の吸収性能が得られる。
【図面の簡単な説明】
【００１３】
【図１】本発明の第１実施形態にかかる壁面素材を示す図である。
【図２】同壁面素材を構成する束状素材の上面図および側面図である。
【図３】同壁面素材を構成する束状素材の製造手順を示す図である。
【図４】同壁面素材を構成する枠体の壁への埋め込みの態様を示す図である。
【図５】同壁面素材を構成する束状素材の枠体内への収納の態様を示す図である。
【図６】本発明の第２実施形態にかかる壁面素材を示す図である。
【図７】同壁面素材を構成する束状素材の上面図および側面図である。
【図８】同壁面素材を構成する束状素材の製造手順を示す図である。
【図９】本発明の第３実施形態にかかる有害物質吸収器具を示す図である。
【図１０】本発明の第４実施形態にかかる有害物質吸収器具を示す図である。
【図１１】本発明の一変形例にかかるい草素材を示す図である。
【図１２】本発明の一変形例にかかるい草素材を示す図である。
【図１３】本発明の一変形例にかかる壁面素材を示す図である。
【図１４】本発明の一変形例にかかる壁面素材を示す図である。
【図１５】本発明の一変形例にかかる壁面素材を示す図である。
【発明を実施するための形態】
【００１４】
以下、図面を参照しつつ本発明の実施形態について説明する。
＜第１実施形態＞
図１は、本発明の第１実施形態である壁面素材１（板状素材）を示す図である。この壁面素材１は、枠体１０と、板体１２と、１６個の束状素材２０−ｋ（ｋは１〜１６の自然数）とからなる。枠体１０は、全体として「田」の字状に組まれて互いに連結された６本の棒状体１１Ｕ、１１Ｄ、１１Ｌ、１１Ｒ、１１Ｘ、１１Ｙを備えている。板体１２は、枠体１０の一方の側面を塞ぐように配置され、枠体１０に固定されている。枠体１０と板体１２により、板体１２に対向する側面が開口し、４つに区画された空間が規定される。この４つの区画の各々に、束状素材２０が各々４個、配置される（図５を用いて後述）。
【００１５】
束状素材２０−ｋは、略同じ丈に裁断された複数本のい草素材が束状に纏められた構造を備えている。図１の吹き出し枠内の拡大図に示すように、纏められている複数本のい草素材は、それらの裁断面ＣＳが揃った状態、すなわち裁断面ＣＳが同一平面上になった状態で束ねられている。
【００１６】
図２（Ａ）は束状素材２０−ｋの上面図であり、図２（Ｂ）は束状素材２０−ｋの側面図である。図２（Ａ）及び図２（Ｂ）に示すように、束状素材２０−ｋは、幅Ｗ１（たとえば、Ｗ１＝２０ｍｍ）、高さＨ１（例えば、Ｈ１＝２０ｍｍ）の寸法を持った略円柱状をなしている。束状素材２０−ｋの上端面２１Ｕ−ｋ及び下端面２１Ｄ−ｋは、複数本のい草素材の裁断面ＣＳの集まりにより形成されている。束状素材２０−ｋの複数本のい草素材は、纏められた状態でその周囲に巻かれた１または複数個（図２（Ｂ）の例では２個）の輪ゴムＧＭによりその束状体の形状が維持されている。
【００１７】
束状素材２０−ｋは次のようにして製造される。まず、図３（Ａ）に示すように、ゴザＧＺ（複数のい草をその繊維方向（丈方向）が互いに平行となるように、当該繊維方向と直交する方向に並べて、当該繊維方向の等間隔位置で各々糸ＳＴにより縫製したもの）の表面と裏面にハケで液状の柿渋を塗布する（第１工程）。柿渋を乾燥させた後、柿渋の付着したい草（い草素材）の繊維方向に距離Ｗ１０（たとえば、Ｗ１０＝３０ｍｍ）ずつ離れた線を裁断線ＣＬとしてゴザＧＺを裁断し、複数個のリボン状体ＲＰを得る（第２工程）。
【００１８】
次に、複数個のリボン状体ＲＰの各々について、図３（Ｂ）に示すように、当該リボン状体ＲＰをその一端部を芯にして渦巻状に巻いて柱状体ＣＣにする（第３工程）。なお、第３工程において、柱状体ＣＣの直径を大きくしたい場合には、複数のリボン状体ＲＰを順次、渦巻状に巻く。次に、柱状体ＣＣの側面の複数個所に輪ゴムＧＭを巻く（第４工程）。次に、柱状体ＣＣを液状の柿渋に浸し、柿渋を浸潤させる（第５工程）。その後、柿渋から柱状体ＣＣを引き上げ、柿渋を乾燥させる。このように得られる束状素材の１つが、束状素材２０−ｋとして製造される。
【００１９】
上記の工程に代えて、以下の工程で束状素材２０を製造してもよい。まず、図３（Ａ）に示すように、ゴザＧＺの表面と裏面にハケで液状の柿渋を塗布する（第１工程）。柿渋を乾燥させた後、図３（Ｂ）に示すように、柿渋の付着したゴザＧＺをその一端部を芯にして渦巻状に巻いて柱状体ＣＣにする（第２工程）。なお、第２工程において、柱状体ＣＣの直径を大きくしたい場合には、複数のリボン状体ＲＰを順次、渦巻状に巻く。次に、柱状体ＣＣの側面の複数個所に輪ゴムＧＭを巻く（第３工程）。
【００２０】
次に、柱状体ＣＣを液状の柿渋に浸し、柿渋を浸潤させる（第４工程）。その後、柿渋から柱状体ＣＣを引き上げ、柿渋を乾燥させた後、図３（Ｃ）に示すように、柱状体ＣＣにおけるい草素材の繊維方向と直交する方向に距離Ｈ１（例えば、Ｈ１＝３０ｍｍ）ずつ離れた線を裁断線ＣＬとして柱状体ＣＣを裁断し、複数個の束状素材を得る（第５工程）。このように得られる束状素材の１つが、束状素材２０−ｋとして製造される。
【００２１】
次に、居室への壁面素材１の設置の手順について説明する。まず、居室の壁９０に枠体１０と板体１２のアセンブリを取り付ける。図４（Ａ）は枠体１０の前端面が壁９０の表面と同一面上となるように枠体１０と板体１２のアセンブリが壁９０に埋設される場合の状態を示し、図４（Ｂ）は枠体１０の前端面が壁９０の表面から居室側に突出するように枠体１０と板体１２のアセンブリが壁９０に埋設される場合の状態を示し、図４（Ｃ）は壁９０の表面上に板体１２の背面が接するように取り付けられる場合の状態を示している。このように、枠体１０と板体１２のアセンブリの壁９０に対する設置の深さは任意に決定されてよい。ただし、いずれの場合においても、枠体１０と板体１２のアセンブリは、居室側に開口する向きで壁９０に対し取り付けられる。
【００２２】
次に、束状素材２０−１〜１６の各々の下端面２１Ｄに接着材を塗布した後、図５に示すように、それらの上端面２１Ｕが枠体１０の開口側を向くようにして枠体１０内に一つずつ収めていく。その際、接着材の塗布された下端面２１Ｄは板体１２に接し、その後の養生により接着が行なわれる。以上により、壁面素材１が完成するとともに、壁面素材１の居室に対する設置が完了する。
【００２３】
以上が、本実施形態の構成の詳細である。本実施形態によると、次の効果が得られる。
第１に、本実施形態では、束状素材２０−ｋ（ｋ＝１〜１６）を構成するい草素材の表面および内側に柿渋が付着している。よって、本実施形態によると、束状素材２０−ｋ（ｋ＝１〜１６）を構成するい草により吸収された湿気（水分）によりカビが発生しやすい、という問題が軽減される。柿渋は高い防カビ性能を有しているためである。なお、柿渋は天然薬剤であるため、柿渋により居室内に人体に対する有毒性の気体が発生されることはなく、むしろ柿渋の添加により、い草の持つ有害物質の吸収性能が向上することが発明者の実験により確認されている。
【００２４】
第２に、本実施形態では、束状素材２０−ｋ（ｋ＝１〜１６）は、略同じ丈に裁断された複数本のい草素材をそれらの裁断面ＣＳが揃うようにして纏めた束からなる。ここで、い草の断面における灯心部にはシックハウスなどの原因となる有害物質（ホルムアルデヒドや二酸化窒素等）を吸収する働きがあることが各種研究結果によって明らかになっている。本実施形態では、束状素材２０−ｋ（ｋ＝１〜１６）におけるい草素材はその裁断面ＣＳが揃うようにして纏められている。よって、束状素材２０−ｋ（ｋ＝１〜１６）を、その裁断面が居室側に向くように設置することにより、居室内における有害物質の浮遊量を大幅に低減することができる。
【００２５】
＜第２実施形態＞
図６は、本発明の第２実施形態にかかる壁面素材１Ａを示す図である。この壁面素材１Ａは、枠体１０と、板体１２と、１６個の束状素材３０−ｋ（ｋ＝１〜１６）とからなる。枠体１０および板体１２の構成は第１実施形態と同様である。
【００２６】
束状素材３０−ｋは、束状素材２０−ｋ（第１実施形態）と同様に、略同じ丈に裁断された複数本のい草をそれらの裁断面ＣＳが揃うようにして纏めた束からなる。図７（Ａ）は束状素材３０−ｋの上面図であり、図７（Ｂ）は束状素材３０−ｋの側面図である。図７（Ａ）及び図７（Ｂ）に示すように、束状素材３０−ｋは、複数本のい草素材を輪ゴムＧＭＳにより纏めて小径の束状体とした柱状体ＣＣＳを複数個（図７（Ａ）及び図７（Ｂ）の例では４個）、輪ゴムＧＭＬにより纏めて、柱状体ＣＣＳとそれらの周囲の輪ゴムＧＭＬとの間の隙間および柱状体ＣＣＳ間の隙間に複数本のい草素材を詰めて、大径の柱状体ＣＣＬとしたものである。束状素材３０−ｋは、幅Ｗ２（例えば、Ｗ２＝２０ｍｍ）、高さＨ２（例えば、Ｈ２＝２０ｍｍ）の寸法を持った角部に丸みを帯びた略四角柱状をなしている。
【００２７】
この束状素材３０−ｋは次のようにして製造される。まず、図８（Ａ）に示すように、直径Ｒ１（Ｒ１≒Ｗ２／４）と深さＤ１（例えば、Ｄ１＝２００ｍｍ）の寸法を持った円筒ＢＴＬＳ内に複数本のい草を詰め込む（第１工程）。次に、円筒ＢＴＬＳ内に詰め込んだ複数本のい草を円筒ＢＴＬＳから取り出し、取り出したい草の周囲におけるい草の丈方向に等間隔で離れた複数個所に輪ゴムＧＭＳを巻いて小径の柱状体ＣＣＳを作る（第２工程）。次に、図８（Ｂ）に示すように、直径Ｒ２（Ｒ１≒Ｗ２）と深さＤ１の寸法を持った円筒ＢＴＬＬ内に第２工程で得られた柱状体ＣＣＳを複数個（図８（Ｂ）の例では４つ）詰め込む（第３工程）。次に、円筒ＢＴＬＬ内に詰め込んだ複数個の柱状体ＣＣＳを円筒ＢＴＬＬから取り出し、取り出した柱体ＣＣＳの周囲におけるい草の丈方向に離れた複数個所に輪ゴムＧＭＬを巻き、柱体ＣＣＳと輪ゴムＧＭＬとの間の隙間および柱状体ＣＣＳ間の隙間に複数本のい草を詰めて大径の柱体ＣＣＬを作る（第４工程）。次に、この大径の柱状体ＣＣＬを液状の柿渋に浸し、柿渋を浸潤させる（第５工程）。柿渋から柱状体ＣＣＬを引き上げ、乾燥させた後、図８（Ｃ）に示すように、柱状体ＣＣＬにおけるい草素材の繊維方向と直交する方向に距離Ｈ２ずつ離れた線を裁断線ＣＬとして柱状体ＣＣＬを裁断し、複数個の束状素材３０を得る（第６工程）。このように得られる束状素材の１つが、束状素材３０−ｋとして製造される。
【００２８】
本実施形態において、枠体１０と板体１２のアセンブリの壁９０に対する取り付けの手順、および枠体１０と板体１２のアセンブリに対する束状素材３０−ｋ（ｋ＝１〜１６）の設置の手順は、第１実施形態と同様である。本実施形態によっても、第１実施形態と同様の効果を得ることができる。
【００２９】
＜第３実施形態＞
図９は、本発明の第３実施形態にかかる有害物質吸収器具４０を示す図である。有害物質吸収器具４０は、柿渋が塗布、浸潤等により付着されたい草であるい草素材を、切り口が丈方向に対して斜め（例えば、４５度）の角度で交差するようにカットして得られる複数個のい草素材片４１−ｉ（ｉ＝１〜ｎ、ｎは任意の自然数）を、全面に渡って通気口Ｐが設けられた球状のカプセル４３の中に入れたものである。
【００３０】
ここで、い草素材片４１−ｉの各々の丈方向の長さは、例えば５〜１０ｍｍ程度である。有害物質吸収器具４０は、居室内に、天井からの吊り下げ、机上への載置等により設置される。有害物質吸湿器具４０においては、い草素材片４１−ｉの表面もしくは内部に柿渋が付着されている。よって、柿渋の防カビ性能により、い草素材片４１−ｉにカビが発生し難く望ましい。また、い草素材片４１−ｉの各々は、その切り口が丈方向に対して斜めに交差するようにカットされている。よって、切り口が丈方向と直交するようにカットしたものに比べて断面における灯心部の露出量が大きくなる。従って、本実施形態によると、切り口が丈方向と直交するようにカットしたい草素材片を用いるものよりも有害物質の吸収効率が高い。
【００３１】
＜第４実施形態＞
図１０は、本発明の第４実施形態にかかる有害物質吸収器具５０を示す図である。有害物質吸収器具５０は、各々柿渋が塗布、浸潤等により付着された複数本のい草素材５２を、その断面の灯心部が露出するように纏めて瓶５１内に入れたものである。有害物質吸収器具５０においては、い草素材５２の表面もしくは内部に付着している柿渋の防カビ性能により、い草素材５２にはカビが発生しにくい。従って、有害物質吸収器具５０によっても、い草による室内の有毒物質の吸収効果が得られるとともに、カビの発生が防止され、望ましい。
【００３２】
＜変形例＞
以上、本発明の実施形態について説明したが、かかる実施形態は様々に変形可能である。以下にそれらの変形の例を示す。
（１）上記実施形態において示した数値や具体的な形状、製造工程における順序等はあくまで例示に過ぎず、これらと異なる数値、形状、製造工程における順序等が採用されてもよい。
【００３３】
（２）上記第１及び第２実施形態において、束状素材２０−ｋ、３０−ｋを構成するい草素材には柿渋が塗布、浸潤等により付着されていた。しかし、柿渋が付着されていないい草を用いて束状素材２０−ｋ、３０−ｋが構成されてもよい。
【００３４】
（３）上記第１及び第２実施形態では、束状素材２０−ｋ、３０−ｋは接着材により板体１２に固定される構成が採用されている。束状素材２０−ｋ、３０−ｋの枠体１０と板体１２のアセンブリに対する固定の方法は接着材による方法に限られない。例えば、板体１２から居室側に延伸するように複数のピンを設け、それらのピンに束状素材２０−ｋ、束状素材３０−ｋを突き刺すことに固定してもよい。また、束状素材２０−ｋ、束状素材３０−ｋを枠体１０と板体１２のアセンブリ内に配置した後、枠体１０における板体１２と対向する側（開口側）の側面に蓋をするように、通気性の高い板体（例えば、多数の孔を有するボード）を枠体１０に取り付けることにより、束状素材２０−ｋ、３０−ｋを枠体１０内に固定する構成が採用されてもよい。なお、この場合、接着材やピン等による束状素材２０−ｋ、３０−ｋの板体１２に対する固定は不要である。
【００３５】
（４）上記第１および第２実施形態では、複数のい草素材が輪ゴムにより束ねられる構成が採用されている。しかし、輪ゴム以外の紐状体や帯状体によりい草素材が束ねられてもよい。また、い草の表面に付着した柿渋の粘着力により隣接するい草間が接着され、束状体の形状が維持される場合には、乾燥前に形状維持のために用いられる輪ゴム等の部材が最終的な束状素材２０−ｋ、３０−ｋから取り外されてもよい。
【００３６】
（５）上記第１および第２実施形態では、束状素材２０−ｋ、３０−ｋの上端面２１Ｕ−ｋおよび下端面２１Ｄ−ｋは束状素材２０−ｋ、３０−ｋの円柱形状の軸方向に対し垂直な面を構成する。これに代えて、束状素材２０−ｋ、３０−ｋの上端面２１Ｕ−ｋおよび下端面２１Ｄ−ｋが、束状素材２０−ｋ、３０−ｋの円柱形状の軸方向に対し垂直以外の角度（例えば、４５度）をなすように構成されてもよい。そのように、いわゆる斜めの端面を備える束状素材２０−ｋ、３０−ｋは、例えば図３（Ｃ）および図８（Ｃ）に示される裁断線ＣＬを、軸方向に対し垂直以外の角度として切断することにより得られる。
【００３７】
（６）上記第３および第４実施形態においては、本発明にかかるい草素材の形状として、チップ状およびスティック状の形状が採用されているが、本発明にかかるい草素材の形状はこれに限られない。例えば、図１１に示すように、ゴザ状に編んだシート状体や、図１２に示すように、ゴザ状に編んだシート状体を積層したブロック状体など、本発明にかかるい草素材は様々な形状を取り得る。例えば、図１１に示すシート状体のい草素材６１は、ゴザ状に編んだい草に柿渋を塗布、噴霧、浸潤等した後、乾燥させることで製造される。また、図１２に示すブロック状体のい草素材６２は、ゴザ状に編んだい草を積層し、ブロック状にカットしたものを、例えば輪ゴム等で束ねた状体で柿渋に浸潤等した後、乾燥させることで製造される。なお、乾燥させた後、柿渋によりい草が互いに接着される場合、束ねるために用いた輪ゴム等は、図１２に示すように取り外してもよい。
【００３８】
（７）上記第１および第２実施形態においては、同じサイズの束状素材２０もしくは束状素材３０を枠体１０内に配置する構成が採用されているが、図１３に例示するように、枠体１０内に異なるサイズの束状素材を配置する構成が採用されてもよい。さらに、円柱形状の束状素材２０と四角柱形状の束状素材３０を混ぜて配置するなど、枠体１０内に異なる形状の束状素材を配置する構成が採用されてもよい。このように異なるサイズや異なる形状の束状素材を用いて壁面素材を構成することにより、デザイン性を向上させることができる。さらに、必ずしも枠体１０内の全領域を束状素材で覆う必要はなく、図１４に例示するように、枠体１０内の一部の領域にのみ束状素材を配置する構成が採用されてもよい。
【００３９】
（８）上記第１および第２実施形態（および、それらの変形例）においては、束状素材２０もしくは束状素材３０が枠体１０と板体１２とにより囲まれた空間内に配置される構成が採用されているが、図１５に示すように、枠体１０を設けない構成が採用されてもよい。この場合、壁面素材の側方から束状素材が見えることになり、場合によっては美観が向上する。
【００４０】
（９）上記第１および第２実施形態（および、それらの変形例）においては、同じ高さの束状素材２０もしくは束状素材３０を板体１２上に配置する構成が採用されているが、互いに異なる高さの束状素材を板体１２上に配置する構成が採用されてもよい。この場合、束状素材の高さの変化によるデザイン性の向上を図ることができる。
【００４１】
（１０）上記の実施形態およびその変形例において、い草素材や束状素材を任意の色に染色してもよい。例えば、異なる色に染色した束状素材を用いることにより、第１および第２実施形態（およびそれらの変形例）の壁面素材のデザイン性の向上を図ることができる。
【００４２】
なお、上述した実施形態およびそれらの変形例において示した具体的な数値（例えば、束状素材の高さ等）、形状、製造の手順等はあくまで一例であって、本発明の技術的思想を限定するものではない。
【符号の説明】
【００４３】
１…壁面素材１、１０…枠体、１１…棒状体、１２…板体、２０…束状素材、３０…束状素材、４０…有害物質吸収器具、５０…有害物質吸収器具、４１…い草素材片、４３…カプセル、５１…花瓶、５２…い草素材、６１…い草素材、６２…い草素材、９０…壁、枠体…１１０。
【図１】
2014009531.tif 000003
【図２】
2014009531.tif 000004
【図３】
2014009531.tif 000005
【図４】
2014009531.tif 000006
【図５】
2014009531.tif 000007
【図６】
2014009531.tif 000008
【図７】
2014009531.tif 000009
【図８】
2014009531.tif 000010
【図９】
2014009531.tif 000011
【図１０】
2014009531.tif 000012
【図１１】
2014009531.tif 000013
【図１２】
2014009531.tif 000014
【図１３】
2014009531.tif 000015
【図１４】
2014009531.tif 000016
【図１５】
2014009531.tif 000017